(57)【要約】      （修正有）【課題】安価に製造でき、取り扱いが容易で、信頼性を有し、幅広く利用可能な盗難防止具の提供。【解決手段】ベース本体３上面に軸孔を有する支持部材４，４を離間させて立設し、他端部にピン係入孔６を穿設し、中間部に２つの凸部を幅方向に離間させて形成し、両凸部間に離間させて２つの嵌合孔を穿設し、両凸部に施錠キー孔１２と解錠キー孔１３を穿設したベース台２と、アーム本体２１の端部寄り下面に軸孔を有する連結部材を形成し、他端部下面にピン２９を垂設し、アーム本体２１の中間部下面に施錠キー溝を設けた嵌合凸部を備えた嵌合部材２６を有するロックアーム２０と、ベース台とロックアームを回動自在に支持する連結軸３０と、弾性的なスプリングキーとからなる。ベース台の嵌合孔にロックアームの嵌合凸部を嵌入して凸部側面の施錠キー孔からスプリングキーを挿入することにより、ベース台に対してロックアームがロックされ、回動不能となる。【選択図】図１
2007138513.tif 000002
【特許請求の範囲】
【請求項１】
平面視が略矩形を呈するベース本体の長手方向端部に軸孔を有する板状の支持部材を平行に離間させて立設する共に他端部寄りの板厚方向にピン係入孔が穿設され、前記ベース本体の中間部に第１凸部と第２凸部が幅方向に離間させて形成され、前記第１凸部と第２凸部との間には長手方向に離間させて板厚方向に２つの嵌合孔が穿設され、前記第１凸部と第２凸部の幅方向に貫通するスリット状の水平な施錠キー孔と、該施錠キー孔に直交させて幅方向に貫通するスリット状の解錠キー孔とを有するベース台と、
平面視が略矩形を呈するアーム本体の長手方向端部寄り下面に、幅方向に貫通する軸孔を有する連結部材が形成されると共に他端部寄り下面にピンが垂設され、前記アーム本体の中間部下面に板状直方体の嵌合部材を形成し、該嵌合部材下端部にスリット状のキー溝の開口部側を対峙させた一対の嵌合凸部を備えたロックアームと、
前記支持部材間に係入された前記連結部材を、それぞれの前記軸孔を介して挿入され、前記ベース台と前記ロックアームを回動自在に支持する連結軸と、
中央部に湾曲凹部を有する折曲部の両端から連続的に延設された略剣状のキー本体の中間部外側端面に略台形状の係止片が突出形成された平面視が略コ字状で弾性的なスプリングキーとからなる盗難防止具であって、
前記ベース台の２つの前記嵌合孔に、前記ロックアームの嵌合部材の２つの嵌合凸部を嵌入し、前記第２凸部側面の施錠キー孔から前記スプリングキーをすぼめて挿入することにより、前記スプリングキーの係止片が前記嵌合凸部のキー溝に達すると前記キー本体が拡開して前記係止片が前記嵌合凸部の施錠キー溝内に進入することにより、前記ベース台に対して前記ロックアームはロックされ回動不能となることを特徴とする盗難防止具。
【請求項２】
前記連結軸は、軸心方向に貫通孔が形成されていることを特徴とする請求項１に記載の盗難防止具。
【請求項３】
前記ロックアームの前記ピンの取付本数が変更可能であると共に、前記ロックアームに対して着脱自在であることを特徴とする請求項１又は２に記載の盗難防止具。
【請求項４】
前記解錠キー孔に挿入可能な幅と板厚を有する長方形板体のキー部材を備えた解除キーを備え、該解除キーのキー部材を前記ベース台の第１凸部側面の解錠キー孔から挿入して前記スプリングキーの湾曲凹部の中心部を内方から押すことにより、前記スプリングキーが幅方向に狭められて該スプリングキーの係止片が前記嵌合部材の施錠キー溝から脱出することにより、前記ベース台に対する前記ロックアームのロックが解除され、前記連結軸を介して前記ベース台に対して前記ロックアームは回動自在となることを特徴とする請求項１乃至３の何れか１項に記載の盗難防止具。
【発明の詳細な説明】
【技術分野】
【０００１】
この発明は、例えば陳列棚に陳列された携帯用のパーソナルコンピュータ、モバイル機器、ゲーム機器、携帯電話機、ゲームソフトや衣料品等の高価な商品から書籍にいたる諸々の商品と、陳列棚等の固定物とを、ケーブル等を介して容易に持ち去られるのを防止する簡易な盗難防止具に関する。
【背景技術】
【０００２】
従来の盗難防止具は、図２５に示したように、警報装置８０と、この警報装置８０から引き出されたループ状の検知導体線８１と、この検知導体線８１の先端部を係止する係止手段８２とを備え、該警報装置８０は検知ゲート８３からの発信電波を受信する受信手段８４と、この受信手段８４による電波の受信または該検知導体線８５の切断により警報を発する警報手段８６と、この警報手段８６の動作を制御する制御手段８７と、この制御手段８７と前記受信手段８４と警報手段８６に電源を供給する電源手段８８とを有する盗難防止用ブザータグ８９が開示されている（特許文献１）。
【０００３】
また、図２６に示したように、ノートパソコンＰの外側面に奥拡がりな係着孔９０を備えており、基端にループ９１を有するケーブル９２と、ノートパソコンＰに設けた係着孔９０に開脚ピン９３を挿入して摘み部９４を挿入方向にスライドすることで係着孔９０へ係着可能である一方、摘み部９４を挿入方向と反対方向にスライドすることで係着孔９０から係着解除可能に露出するとともに係着解除時にはカバー９５内に没入する挿通穴９６を有した係着具９７と、この係着具９７のケーブル挿通部９８に挿通されたケーブル９２の先端に係止・係止解除可能であり、ケーブル９２の先端に係止することで挿通穴９６からのケーブル９２の抜けを阻止する錠ユニット９９を有する可搬型電子機器用盗難防止装置１００が開示されている（特許文献２）。
【特許文献１】特開平７−２７２１３９号公報
【特許文献２】特開２００４−３１８４２６号公報
【発明の開示】
【発明が解決しようとする課題】
【０００４】
そして、従来の盗難防止用タグや盗難防止装置による盗難防止の効果は得られたものの、構造の複雑性などから非常に高価なため、店内に配置された全ての商品に使用するには、設置コストが嵩んでしまい、高額商品の場合はともかく、低額商品にまではなかなか使用しきれないのが現実である。しかし、低額商品にあっても万引きによる被害は甚大であり、何らかの手だてを講じなければならないのも現実である。
【０００５】
そこで、この発明においては、安価に製造することができると共に、取り扱いが容易で、信頼性を有し、且つ、幅広く利用可能な、盗難防止具を提供することを課題としている。
【課題を解決するための手段】
【０００６】
請求項１に記載の発明は、平面視が略矩形を呈するベース本体の長手方向端部に軸孔を有する板状の支持部材を平行に離間させて立設する共に他端部寄りの板厚方向にピン係入孔が穿設され、前記ベース本体の中間部に第１凸部と第２凸部が幅方向に離間させて形成され、前記第１凸部と第２凸部との間には長手方向に離間させて板厚方向に２つの嵌合孔が穿設され、前記第１凸部と第２凸部の幅方向に貫通するスリット状の水平な施錠キー孔と、該施錠キー孔に直交させて幅方向に貫通するスリット状の解錠キー孔とを有するベース台と、平面視が略矩形を呈するアーム本体の長手方向端部寄り下面に、幅方向に貫通する軸孔を有する連結部材が形成されると共に他端部寄り下面にピンが垂設され、前記アーム本体の中間部下面に板状直方体の嵌合部材を形成し、該嵌合部材下端部にスリット状の施錠キー溝の開口部側を対峙させた一対の嵌合凸部を備えたロックアームと、前記支持部材間に係入された前記連結部材を、それぞれの前記軸孔を介して挿入され、前記ベース台と前記ロックアームを回動自在に支持する連結軸と、中央部に湾曲凹部を有する折曲部の両端から連続的に延設された略剣状のキー本体の中間部外側端面に略台形状の係止片が突出形成された平面視が略コ字状で弾性的なスプリングキーとからなる盗難防止具であって、前記ベース台の２つの前記嵌合孔に、前記ロックアームの嵌合部材の２つの嵌合凸部を嵌入し、前記第２凸部側面の施錠キー孔から前記スプリングキーをすぼめて挿入することにより、前記スプリングキーの係止片が前記嵌合凸部のキー溝に達すると前記キー本体が拡開して前記係止片が前記嵌合凸部の施錠キー溝内に進入することにより、前記ベース台に対して前記ロックアームはロックされ回動不能となるように構成されている。
【０００７】
請求項２に記載の発明は、請求項１に記載の構成に加え、前記連結軸は、軸心方向に貫通孔が形成されている。
【０００８】
請求項３に記載の発明は、請求項１又は２に記載の構成に加え、前記ロックアームの前記ピンの取付本数が変更可能であると共に、前記ロックアームに対して着脱自在なピンホルダーを備えている。
【０００９】
請求項４記載の発明は、請求項１又は請求項３に記載の構成に加え、前記解錠キー孔に挿入可能な幅と板厚を有する長方形板体のキー部材を備えた解除キーを備え、該解除キーのキー部材を前記ベース台の第１凸部側面の解錠キー孔から挿入して前記スプリングキーの湾曲凹部の中心部を内方から押すことにより、前記スプリングキーが幅方向に狭められて該スプリングキーの係止片が前記嵌合部材の施錠キー溝から脱出することにより、前記ベース台に対する前記ロックアームのロックが解除され、前記連結軸を介して前記ベース台に対して前記ロックアームは回動自在となる。
【発明の効果】
【００１０】
以上説明してきたように、請求項１に記載の発明によれば、ベース台と、ロックアームと、連結軸と、スプリングキーの４部材という簡単な構成であり、商品を直接挟持する又は商品に取り付けられたワイヤーを掛止するため、ベース台に対して、ロックアームの回動を自在にしたり、或いは、ロックをスプリングキーの挿脱により行う簡単な構成なので、安価に製造することができると共に、取り扱いが容易な盗難防止具を提供できる。
【００１１】
請求項２に記載の発明は、上記請求項１記載の発明の効果に加え、連結軸の軸心方向に貫通孔が形成されているので、陳列棚に掛止されたワイヤーを盗難防止具の連結軸の貫通孔に掛止することにより、連結軸を抜いて盗難防止具を分解することによる万引きを防止することができるので、信頼性を向上できる。
【００１２】
請求項３に記載の発明は、上記請求項１又は２に記載の発明の効果に加え、ロックアームは、ピンの取付本数が変更可能であると共にロックアームに対して着脱自在なピンホルダーを備えているので、太いピンから細いピンに変える、或いは、３本から１本にピンの数を変えるなど、商品によって適切に対応させることができる。
【００１３】
請求項４に記載の発明は、上記請求項１乃至３の何れか１項に記載の発明の効果に加え、簡単な構造の解除キーを備えており、スプリングキーを容易に抜くことができるので、商品からの取り外しが容易になり、作業性の向上が図れる。
【発明を実施するための最良の形態】
【００１４】
以下、この発明の実施の形態について、図１乃至図２４により説明する。
【００１５】
盗難防止具１の概要について説明すると、図２に示したように、平面視が略矩形のベース本体３長手方向端部に軸孔５を有する板状の支持部材４，４が離間させて立設されている。この支持部材４，４の他端部寄りには３つのピン係入孔６が設けられている。また、ベース本体３の略中間部には、第１凸部７と第２凸部８が幅方向に離間させて形成されている。この第１凸部７と第２凸部８との間には長手方向に離間させて２つの嵌合孔１０，１０が板厚方向に穿設されている。そして、第１凸部７と第２凸部８の幅方向に貫通するスリット状の施錠キー孔１２及び該施錠キー孔１２に直交する形で貫通するスリット状の解錠キー孔１３とでベース台２が形成されている。
また、平面視が略矩形のアーム本体２１の長手方向端部寄り下面に幅方向に貫通する軸孔２３を有する略円筒状の連結部材２２が設けられている。このアーム本体２１の他端部寄り下面には３本のピン２９が垂設されている。さらに、アーム本体２１の略中間部下面に板状直方体の嵌合部材２６が形成され、嵌合部材２６の下端面にスリット状の施錠キー溝２８を有する一対の嵌合凸部２７，２７が、施錠キー溝２８，２８の開口部を対峙させる形に形成されロックアーム２０が形成されている。
そして、支持部材４，４間に連結部材２２を装入して、それぞれの軸孔５，２３，５を介して挿入され、ベース台２とロックアーム２０を回動自在に支持する連結軸３０により一体化されている。
また、中央部に湾曲凹部４３を有する折曲部４４の両端から連続的に延設された略剣状のキー本体４１の中間部外側端面に略台形状の係止片４２が形成された平面視が略コ字状で、弾性的なスプリングキー４０を備えている。
ベース台２とロックアーム２０と連結軸３０とスプリングキー４０とで構成された盗難防止具１は、ベース台２の２つの嵌合孔１０，１０にロックアーム２０の嵌合部材２６下端部の一対の嵌合凸部２７，２７を嵌入する。
第２凸部８側面の施錠キー孔１２からスプリングキー４０をすぼめながら挿入すると、スプリングキー４０の係止片４２が嵌合部材２６の嵌合凸部２７の施錠キー溝２８部に進入するとスプリングキー４０の元々の幅に復元して拡開する。これにより、支持部材４，４間に係入された連結部材２２のそれぞれの軸孔５，２３，５を介して装入された連結軸３０により、ベース台２に対するロックアーム２０の回動がロックされるように構成されている。以下に更に詳細に説明する。
【００１６】
ベース台２について図２乃至図６により詳細に説明する。
合成樹脂材により一体に形成されるベース台２は、図２において、平面視が略長方形の板体からなるベース本体３の左方で長辺側の両側辺端部に離間させて平行に一対の支持部材４，４が立設されている。
この支持部材４，４には幅方向（前後方向）に軸孔５が穿設されている（図３参照）。
また、ベース本体３の右方には三角形の頂点部分に板厚方向に穿設された３つのピン係入孔６，６，６が穿設されている。
さらに、ベース本体３の長辺側の略中央部で、幅方向の中心線より手前側に幅狭の第１凸部７が、この第一凸部７から離間させて幅広の第２凸部８が形成されている。
この第１凸部７と第２凸部８の間には、連結部９を挟んで、この左右に平面視が長方形の嵌合孔１０，１０が板厚方向に穿設されている。
この連結部９は、他のベース本体３と同じ厚みの平滑面に形成されており、連結部９の中央の幅方向（前後方向）に横断するスリット状の解錠キー溝１１が設けられており、このスリット状の解錠キー溝１１は第１凸部７から第２凸部８内の幅方向に貫通する解錠キー孔１３として形成されている（図１７参照）。
さらに、ベース本体３の第１凸部７から第２凸部８に幅方向に貫通する水平なスリット状の施錠キー孔１２が穿設されている（図３及び１７参照）。
また、施錠キー孔１２は、連結部９の部分でスリット状の前記解錠キー溝１１と共に現出している。そして、解錠キー孔１３の周囲には、図３及び１７に示したように、平面視がＶ字状の案内溝１５が凹設されている。この案内溝１５には、後述する解錠キー６０のＶ状先端部７１が係合する。
【００１７】
ロックアーム２０について図７乃至図１２により詳細に説明する。
合成樹脂材により一体に形成されるロックアーム２０は、図８において、平面視が略長方形の板体からなるアーム本体２１の左方で長辺側端部の短辺部分に円筒状の連結部材２２が延設されている。
この連結部材２２は上方が僅かに開口した開口部２２ａを有し、幅方向に軸孔２３が穿設されている（図９参照）。
アーム本体２１の右方で長辺側縁部寄りにはホルダー受部材２４が形成されている。
このホルダー受部材２４には幅方向側の片方の側面が開口した嵌合凹部２５が形成されている。この嵌合凹部２５には後述するピンホルダー５０の嵌合凸部５２が嵌入されて、ホルダー受部材２４にピンホルダー５０が取付孔５５を介してビスにより取り付けられる。さらに、アーム本体２１の略中間部には、図９において、下方に向けて略直方体の嵌合部材２６が延設されていて、この嵌合部材２６の下端部には、左右方向に対峙させて略台形状の嵌合凸部２７，２７が形成されている。
嵌合部材２６と嵌合凸部２７，２７の境界部分には、嵌合凸部２７，２７の長手方向のおよそ２分の１に達するスリット状の施錠キー溝２８が嵌合部材２６の板厚方向（幅方向）に貫通させて形成されており、且つ、嵌合部材２６の中央下端面には板厚方向（幅方向）に横断する解錠キー溝１１を備えている。
【００１８】
合成樹脂材により一体に形成される連結軸３０は、図１３（ａ）、（ｂ）に示したように、軸心に貫通孔３１を有する円筒状に形成されていて、この円筒の一部が軸線方向の全長に渡り切り欠かれ、開口部３２が形成されている。
この開口部３２があることにより、連結軸３０の外径よりも小さな内径を有するベース台２の支持部材４，４の軸孔５，５に外径が圧縮されながら容易に装着することができると共に、連結軸３０外径の圧縮力に対抗する応力（反発力）により軸孔内周面に密着して、容易に抜け落ちないように構成されている。この実施の形態においては、耐摩耗性に優れ弾性を有する合成樹脂材を用いているが、弾性を有する金属板を開口部を有する円筒状に形成したものでも良い。
【００１９】
スプリングキー４０について、図１４（ａ）（ｂ）により説明する。
スプリングキー４０は、図１４（ａ）において、弾性を有する隣青銅板の薄板により加工される（図１４（ｂ）参照）。
中央部が僅かに下方に湾曲した湾曲凹部４３を備える折曲部４４，４４の両端から下方にほぼ直角に折り曲げられて略剣形状のキー本体４１，４１が延設されている。
このキー本体４１，４１の中間部から先端方向にかけて、キー本体４１，４１の外側端部に先端方向に向けて徐々に拡幅させた略台形状の係止片４２，４２が延設されている。
この実施の形態ではバネ性隣青銅板を使用しているが、バネ性ステンレススチール板やバネ性鋼板を使用することもできるが、加工性や耐久性などの点でバネ性隣青銅板が好適である。
【００２０】
ピンホルダー５０について図１５（ａ）乃至（ｆ）により詳細に説明する。
（ａ）はピンホルダーの平面図である。（ｂ）はピンホルダーの底面図である。（ｃ）はピンホルダーの正面図である。（ｄ）はピンホルダーの背面図である。（ｅ）はピンホルダーの左側面図である。（ｆ）はピンホルダーの右側面図である。                           
【００２１】
合成樹脂材により一体に形成されるピンホルダー５０は、図１５（ａ）において、平面視が略長方形の長手方向中央から右方向に略半円状に突出するホルダー本体５１と、このホルダー本体５１の略長方形部には、図１５（ｃ）及び（ｅ）に示したように、略直方体の嵌合凸部５２が形成されている。
この嵌合凸部５２の上下、及び、略半円形状部分には図１５（ｃ）に示したように、ピン２９を挿入するためのピン孔５３，５３，５３が穿設されている。
嵌合凸部５２側のピン孔５３，５３，５３からそれぞれ外方向に切り欠かかれた切欠凹部５４が形成されている。平面視が略半円状部のピン孔５３，５３，５３から左方向にも切欠凹部５４が形成されている。
嵌合凸部５２の中央部には取付孔５５が穿設されていて、ロックアーム２０のホルダー受部材２４の嵌合凹部２５に、ピンホルダー５０の嵌合凸部５２を嵌入してビス等により固定される。
【００２２】
ステンレススチール製のピン２９は、図１５（ｆ）に仮想線で示したように、丸棒の下端部が先鋭に形成され、上端部は直角に折り曲げられて抜止め２９ａが形成されている。
ピンホルダー５０のピン孔５３に上方からピン２９を挿入して、図１５（ｃ）に示したように、抜止め２９ａ部がピンホルダー５０の切欠凹部５４に係合することにより、ピン２９が下方へ抜け落ちるのを防止している。
【００２３】
盗難防止具１は、図１６（ａ）、（ｂ）に示したように、３本のピン２９がセットされたピンホルダー５０の嵌合凸部５２をロックアーム２０のホルダー受部材２４の嵌合凹部２５に嵌入して、取付孔５５を介してビス等により固定し、このロックアーム２０の連結部材２２を、ベース台２の対向する支持部材４の間にセットして、ベース台２の片方の支持部材４の軸孔５側から連結軸３０を挿入し、ロックアーム２０の連結部材２２の軸孔２３を介してもう一方の軸孔５に軸支されて盗難防止具１が組み立てられる。
この時のロックアーム２０は連結軸３０を介してベース台２に対して回動自在であり、３本のピン２９の先端から略中間部はベース台２のピン係入孔６に係入される。
このピン２９は、３本に限定されることもなく、また、丸棒限定されることもなく、形状も、波板や鋸刃状の板体を用いるなど、取付対象物Ｙに対応させて自由に選択される。
［作用］
【００２４】
盗難防止具１の作用について図１及び図１６（ａ）、（ｂ）及び図１７（ａ）、（ｂ）及び図１８（ａ）、（ｂ）により説明する。
【００２５】
図１６（ａ）に示したように、ロックアーム２０のピン２９側が上方に位置した状態で、ワイヤー部材Ｗの輪部を、盗難防止具１の連結軸３０の貫通孔３１に通して図１に示したように係留する。次に、ワイヤー部材Ｗの自由端の輪部用いて図１に示したように棚等の係留部材Ｒに係留する。さらに、盗難防止具１のピン２９側に取付対象物Ｙに取り付けられているワイヤー部材Ｗの輪部をセットする（図１の右端参照）。或いは、取付対象物Ｙを直接セットする。そして、図１６（ｂ）に示したように、ロックアーム２０のピン２９側を矢印Ｄの方向に下降させると、ピン２９，２９，２９の先端から略中間部までがベース台２のピン係入孔６，６，６に係入する。
この時、ロックアーム２０の嵌合部材２６の嵌合凸部２７，２７もベース台２の嵌合孔１０，１０に嵌入する。
この状態で、図１７（ａ）に示したように、スプリングキー４０を矢示Ａ，Ａの幅方向にすぼめながら第２凸部８側の施錠キー孔１２から矢示Ｇの方向に挿入する。この時のスプリングキー４０と施錠キー孔１２、及びロックアーム２０の嵌合部材２６の施錠キー溝２８との関係は図１８（ａ）に示したように嵌合部材２６の施錠キー溝２８まで達していない。
さらに、スプリングキー４０をいっぱいに押し込むと、係止片４２，４２がベース台２の嵌合孔１０，１０の位置、つまりベース台２の連結部９の位置に達すると、図１７（ｂ）に示したように係止片４２，４２の外側端部が第２凸部８の内側壁部１４，１４から解放されて、スプリングキー４０の元の形に復元して拡幅する。
この時のスプリングキー４０と、施錠キー孔１２、及びロックアーム２０の嵌合部材２６の施錠キー溝２８，２８との関係は図１８（ｂ）に示したように、係止片４２，４２は嵌合部材２６の施錠キー溝２８，２８内に進入している。
この、ベース台２の嵌合孔１０，１０に、ロックアーム２０の嵌合部材２６の嵌合凸部２７，２７が嵌入した状態で、スプリングキー４０の係止片４２，４２がロックアーム２０の嵌合部材２６の施錠キー溝２８，２８に進入した状態では、係止片４２，４２を除く部分のキー本体４１，４１部分はベース台２の第１凸部７及び第２凸部８のそれぞれの解錠キー孔１３内に係入しているため、これにより、ロックアーム２０はベース台２にロックされた状態（上方への回動が不能な状態）となり、ロックアーム２０はベース台２に対して固定されて回動不能となる。
【００２６】
また、スプリングキー４０によりベース台２にロックされたロックアーム２０のロックを解除するには、ベース台２の案内溝１５に後述する解錠キー６０のＶ状先端部７１をあてがい、解錠キー６０の外筒６１を押すと、可動筒６６が外筒６１に進入した分の長さの解錠キー６０内のキー部材６４が押し出され、このキー部材６４により、スプリングキー４０の折曲部４４の湾曲凹部４３の内壁部が押されることにより、キー本体４１が互いに幅方向に内方に撓んで狭幅になることによりベース台２の第２凸部８の施錠キー孔１２内に押し出される。これにより、スプリングキー４０の係止片４２，４２がロックアーム２０の嵌合部材２６の施錠キー溝２８，２８から脱出するので、スプリングキー４０によるベース台２に対するロックアーム２０のロックは解除され、図１７（ａ）の状態に戻る。
【００２７】
解錠キー６０について、図２０乃至図２４により説明する。
解錠キー６０は、図２３において、左方端部が開口し、且つ、内方に突出する鍔部６５を有し、右方端部に後壁６２を有する円筒状に形成され、後壁６２中央部には縦方向にスリット状の凹部を有する矩形の固定部材６３を設けて外筒６１が形成されている。
この外筒６１内に、抜脱不能、且つ摺動可能に、左方端部が開口し、右方端部にスリット状の貫通孔６８を備えた後壁６７を有する円筒状の可動筒６６が収容されている。
可動筒６６の左方端部にはスリット状に貫通したガイド孔７０を有するホルダー６９が固定されている。
そして、薄い金属板で形成された長方形のキー部材６４が、ホルダー６９のガイド孔７０及び可動筒６６後壁６７の貫通孔６８を挿通して外筒６１後壁６２に形成された固定部材６３に固定されている。外筒６１内には内周面に沿うようにしてコイルバネ７２が収容されていて、可動筒６６後壁６７の外壁面と外筒６１後壁６２の内壁面との間で、可動筒６６後壁６７の外壁面を付勢している。これにより、Ｖ状先端部７１をベース台２の案内溝１５にあてがってコイルバネ７２の付勢力に抗して外筒６１を押すと、可動筒６６は外筒６１内に進入することにより、図２４に示したように、可動筒６６が外筒６１に進入した分の長さの解錠キー６０内のキー部材６４が押し出される。
この解錠キーは、このような複雑な構造の解錠キーを用いなくても、薄い金属板で形成された長方形のキー部材の部分に柄を付けたような単純な構造の解錠キーでも良い。
【図面の簡単な説明】
【００２８】
【図１】この発明の実施の形態１に係る盗難防止具の使用状態を表す説明図である。
【図２】同実施の形態に係るベース台の平面図である。
【図３】同実施の形態に係るベース台の正面図である。
【図４】同実施の形態に係るベース台の底面図である。
【図５】同実施の形態に係るベース台の右側面図である。
【図６】同実施の形態に係るベース台の左側面図である。
【図７】同実施の形態に係るロックアームの平面図である。
【図８】同実施の形態に係るロックアームの底面図である。
【図９】同実施の形態に係るロックアームの正面図である。
【図１０】同実施の形態に係るロックアームの背面図である。
【図１１】同実施の形態に係るロックアームの右側面図である。
【図１２】同実施の形態に係るロックアームの左側面図である。
【図１３】（ａ）同実施の形態に係る連結軸の正面図である。  （ｂ）同実施の形態に係る連結軸の右側面図である。
【図１４】（ａ）同実施の形態に係るスプリングキーの平面図である。  （ｂ）同実施の形態に係るスプリングキーの一部を拡大した正面図である。
【図１５】（ａ）同実施の形態に係るピンホルダーの平面図である。  （ｂ）同実施の形態に係るピンホルダーの底面図である。  （ｃ）同実施の形態に係るピンホルダーの正面図である。  （ｄ）同実施の形態に係るピンホルダーの背面図である。  （ｅ）同実施の形態に係るピンホルダーの左側面図である。  （ｆ）同実施の形態に係るピンホルダーの右側面図である。
【図１６】（ａ）同実施の形態に係る盗難防止具の非ロック状体を表すの正面図である。  （ｂ）同実施の形態に係る盗難防止具のロック状体を表す正面図である。
【図１７】（ａ）図３のＡ−Ａ線に沿った断面図による非ロック状体のベース台とスプリングキーとの関係を表す説明図である。   （ｂ）図３のＡ−Ａ線に沿った断面図によるロック状体のベース台とスプリングキーとの関係を表す説明図である。
【図１８】（ａ）同実施の形態に係る非ロック状態のベース台とスプリングキーとの関係を表す平面図による説明図である。   （ｂ）同実施の形態に係る非ロック状態の一部を省略したロックアームの嵌合部材のキー溝とスプリングキーとの関係を表す一部を拡大した正面図による説明図である。
【図１９】（ａ）同実施の形態に係るロック状態のベース台とスプリングキーとの関係を表す平面図による説明図である。  （ｂ）同実施の形態に係るロック状態の一部を省略したロックアームの嵌合部材のキー溝とスプリングキーとの関係を表す一部を拡大した正面図による説明図である。
【図２０】同実施の形態に係る解錠キーの平面図である。
【図２１】同実施の形態に係る解錠キーの正面図である。
【図２２】同実施の形態に係る解錠キーの左側面図である。
【図２３】図２０のＢ−Ｂ線に沿った断面図である。
【図２４】同実施の形態に係る解錠キーの外筒に可動筒が進入した状態を表す正面図である。
【図２５】従来技術を表す斜視図である。
【図２６】他の従来技術を表す斜視図である。
【符号の説明】
【００２９】
Ｒ  係留部材
Ｗ  ワイヤー部材
Ｙ  取付対象物
１  盗難防止具
２  ベース台
３  ベース本体
４  支持部材
５  軸孔
６  ピン係入孔
７  第１凸部
８  第２凸部
９  連結部
１０  嵌合孔
１１  解錠キー溝
１２  施錠キー孔
１３  解錠キー孔
１４  内側壁部
１５  案内溝
２０  ロックアーム
２１  アーム本体
２２  連結部材
２２ａ  開口部
２３  軸孔
２４  ホルダー受部材
２５  嵌合凹部
２６  嵌合部材
２７  嵌合凸部
２８  施錠キー溝
２９  ピン
２９ａ  抜止め
３０  連結軸
３１  貫通孔
３２  開口部
４０  スプリングキー
４１  キー本体
４２  係止片
４３  湾曲凹部
４４  折曲部
５０  ピンホルダー
５１  ホルダー本体
５２  嵌合凸部
５３  ピン孔
５４  切欠凹部
５５  取付孔
６０  解錠キー
６１  外筒
６２  後壁
６３  固定部材
６４  キー部材
６５  鍔部
６６  可動筒
６７  後壁
６８  貫通孔
６９  ホルダー
７０  ガイド孔
７１  Ｖ状先端部
７２  コイルバネ
【図１】
2007138513.tif 000003
【図２】
2007138513.tif 000004
【図３】
2007138513.tif 000005
【図４】
2007138513.tif 000006
【図５】
2007138513.tif 000007
【図６】
2007138513.tif 000008
【図７】
2007138513.tif 000009
【図８】
2007138513.tif 000010
【図９】
2007138513.tif 000011
【図１０】
2007138513.tif 000012
【図１１】
2007138513.tif 000013
【図１２】
2007138513.tif 000014
【図１３】
2007138513.tif 000015
【図１４】
2007138513.tif 000016
【図１５】
2007138513.tif 000017
【図１６】
2007138513.tif 000018
【図１７】
2007138513.tif 000019
【図１８】
2007138513.tif 000020
【図１９】
2007138513.tif 000021
【図２０】
2007138513.tif 000022
【図２１】
2007138513.tif 000023
【図２２】
2007138513.tif 000024
【図２３】
2007138513.tif 000025
【図２４】
2007138513.tif 000026
【図２５】
2007138513.tif 000027
【図２６】
2007138513.tif 000028